(57)【要約】【課題】  対象物の損傷を防止しつつ良好に保持し、必要な作業を対象物に施すことができるピンセットを提供する。【解決手段】  ピンセット１０は、連結支点１２から２つの把持腕１４，１６が開くように伸びており、交差部２０で交差して、延長腕２２，２４にそれぞれ接続している。延長腕２２，２４の先端には、外側に湾曲した湾曲部３０，４０を介して、保持部３２，４２が設けられている。保持部３２，４２は、熱収縮性の樹脂チューブによる樹脂カバー３４，４４によって覆われている。湾曲部３０，４０が設けられているので、保持部３２，４２の先端が対象物Ｗに当接するようになる。また、対象物Ｗを保持部３２，４２で挟んでも、樹脂カバー３４，４４が当たるので、対象物Ｗの損傷が防止される。【選択図】図１
0003186636.tif 000002
【実用新案登録請求の範囲】
【請求項１】
一端が固定された把持腕の先に延長腕が形成されており、これら延長腕の先に、対象物を保持する保持部が形成されているピンセットであって、
前記保持部に樹脂カバーを形成したことを特徴とするピンセット。
【請求項２】
一端が固定された把持腕の先に交差部を介して延長腕が形成されており、これら延長腕の先に、対象物を保持する保持部が形成されている逆タイプのピンセットであって、
前記保持部に、樹脂カバーを形成したことを特徴とするピンセット。
【請求項３】
前記保持部の先端が対象物に当接するように、前記保持部と前記延長腕との間に湾曲部を形成したことを特徴とする請求項１又は２記載のピンセット。
【請求項４】
前記保持部のうち、一方の先端が針状となっており、この針状先端が他方の側面を向いていることを特徴とする請求項１〜３のいずれか一項に記載のピンセット。
【請求項５】
前記保持部のうち、いずれか一方が二股に分かれていることを特徴とする請求項１〜４のいずれか一項に記載のピンセット。
【請求項６】
前記保持部のうち、一方の樹脂カバーが熱収縮性の樹脂チューブによって形成されており、他方の樹脂カバーがＰＯＭもしくはＰＥＴによって形成されたことを特徴とする請求項１〜５のいずれか一項に記載のピンセット。
【考案の詳細な説明】
【技術分野】
【０００１】
本考案はピンセットに関し、例えば、歯科のインレーやクラウンなどの製作に好適なピンセットの改良に関するものである。
【背景技術】
【０００２】
従来のピンセット，特に歯科用のピンセットとしては、下記特許文献に記載されたものがある。特許文献１には、先端部の内側に、医療器具との係合部ないし嵌合部を設けるようにすることで、歯科用器具等の医療器具を挟持して運搬、保持、除去等する場合の操作性の向上を図るようにした医療用ピンセットが開示されている。特許文献２には、本体先端部内側の対応挟着面が、最先端部にフラットな肉厚部を有し、その肉厚部の直角落差に続く内側附近部に断面湾曲状窪み部を形成するとともにその両側端縁長手方向に歯状を形成し、前記肉厚部のフラット面の長手方向中心には先端へ抜ける滑り防止溝を穿設することで、綿球や棒状物の把持という機能を保ちつつ、鋳造冠、抜去歯牙等の滑りやすい小片の、さらには根充時のガッタパーチャ等のポイントを確実に把持できるようにした歯科用ピンセットが開示されている。特許文献３には、挟込板及び挟込片を非磁性体の純チタン製とするとともに、支点部を磁性体のマグネットとし、この支点部を下方へ若干傾斜させるようにすることで、磁性体アタッチメントをチェサーサイドで操作したり、技工操作をする時に、治療作業を極めて容易にし、かつ、磁性体アタッチメントの磁石構造体やキーパー等を口内に運びやすくした歯科用ピンセットが開示されている。
【先行技術文献】
【特許文献】
【０００３】
【特許文献１】特開平８−２１５２１２号公報
【特許文献２】特開平８−３３６４９号公報
【特許文献３】実用新案登録第３０１６３８１号公報
【考案の概要】
【考案が解決しようとする課題】
【０００４】
ところで、歯の補綴ないし修復を行うための被せ物（クラウン）や詰め物（インレー）としては、金属，ジルコニア，セラミックスなどの材料が使用されるが、近年は、審美性（見栄え）の観点からセラミックが主流となっている。これらには、必要に応じて、セラミックを何層も重ねることで、天然歯（自然歯）と比較しても遜色のない質感や色を得る築成，ステイン（色付け）やグレーズ（つや出し），スチームクリーナーによる汚れの除去，などの各種の作業が施される。
【０００５】
しかしながら、作業の際に従来の金属製のピンセットを使用すると、対象物の表面に傷を付けたり、圧力を強く掛けすぎて破損してしまう，ピンセット先端の金属が付着してしまうといった不都合がある。加えて、従来のピンセットでは良好に保持できないような形状や形態の補綴物もある。
【０００６】
本考案は、以上の点に着目したもので、対象物の損傷を防止しつつ良好に保持し、必要な作業を対象物に施すことができるピンセットを提供することを、その目的とする。
【課題を解決するための手段】
【０００７】
前記目的を達成するため、本考案は、一端が固定された把持腕の先に延長腕が形成されており、これら延長腕の先に、対象物を保持する保持部が形成されているピンセットであって、前記保持部に樹脂カバーを形成したことを特徴とする。他の考案は、一端が固定された把持腕の先に交差部を介して延長腕が形成されており、これら延長腕の先に、対象物を保持する保持部が形成されている逆タイプのピンセットであって、前記保持部に、樹脂カバーを形成したことを特徴とする。
【０００８】
主要な形態の一つは、前記保持部の先端が対象物に当接するように、前記保持部と前記延長腕との間に湾曲部を形成したことを特徴とする。他の形態の一つは、前記保持部のうち、一方の先端が針状となっており、この針状先端が他方の側面を向いていることを特徴とする。更に他の形態の一つは、前記保持部のうち、いずれか一方が二股に分かれていることを特徴とする。更に他の形態によれば、前記保持部のうち、一方の樹脂カバーが熱収縮性の樹脂チューブによって形成されており、他方の樹脂カバーがＰＯＭもしくはＰＥＴによって形成されたことを特徴とする。本考案の前記及び他の目的，特徴，利点は、以下の詳細な説明及び添付図面から明瞭になろう。
【考案の効果】
【０００９】
本考案によれば、対象物を挟む保持部に樹脂カバーを形成することとしたので、対象物の損傷を防止しつつ良好に保持し、必要な作業を対象物に施すことができる。
【図面の簡単な説明】
【００１０】
【図１】本考案の実施例１を示す図である。
【図２】本考案の他の実施例を示す図である。
【考案を実施するための形態】
【００１１】
以下、本考案を実施するための形態を、実施例に基づいて詳細に説明する。
【実施例１】
【００１２】
最初に、図１(A)〜(C)を参照しながら、本考案の実施例１について説明する。本実施例のピンセット１０は、いわゆる逆ピンセットで、手でつまむと先端が開き、手を離すと先端が閉じるタイプである。図１(A)は全体を示し、(B)は指で矢印の方向に押して先端が開いた（離れた）状態を示し、(C)は指を矢印の方向に離して物を挟んだ状態を示す。
【００１３】
これらの図において、ピンセット１０は、連結支点１２から２つの把持腕１４，１６が開くように伸びており、それらが交差部２０で交差して、延長腕２２，２４にそれぞれ接続した構成となっている。これら連結支点１２から延長腕２２，２４に至る部分は、一般的な逆ピンセットと同様であり、例えば金属材料（主にステンレス）が使用される。
【００１４】
前記延長腕２２，２４の先端には、図１(B)に示すように、前記連結支点１２から延長腕２２，２４に至る長手方向に対し、外側に湾曲した湾曲部３０，４０が設けられており、これらの湾曲部３０，４０の先に保持部３２，４２がそれぞれ設けられている。これら湾曲部３０，４０や保持部３２，４２も金属材料が使用される。
【００１５】
湾曲部３０，４０は、同じ湾曲形状としてもよいが、図示の例では、湾曲部３０は比較的強くＳ字状にカーブしており、湾曲部４０は緩やかなＳ字状ないしＬ字状となっている。これらの湾曲の程度は、必要に応じて適宜設定してよい。前記保持部３２，４２のうち、保持部３２は針状に尖っているのに対し、保持部４２は比較的鈍く尖った形状となっている。以下、両者を区別するときは、針状保持部３２，凸状保持部４２と表現する。これら保持部３２，４２は、樹脂カバー３４，４４によって覆われている。
【００１６】
保持部３２，４２は、全体として、ピンセット１０の長手方向ＬＨ（図１(B)参照）に対して、角度θで示す方向に傾いて形成されている。この角度θは、必要に応じて適宜設定してよい。このような角度θを設けることで、作業者は、ピンセット１０の保持部３２，４２が見やすくなり、作業性が向上する。
【００１７】
前記保持部３２，４２の樹脂カバー３４，４４としては各種のものを使用してよいが、例えば、針状保持部３２は、ＰＯＭ（ポリアセタール），ＰＥＴ（ポリエチレンテレフタレート）などの比較的固い樹脂材料（硬質樹脂）によって形成し、凸状保持部４２は、熱収縮性の樹脂材料によって形成する。例えば、熱収縮性の樹脂チューブが好適である。他にゴムなどを使用してもよい。前記針状保持部３２の先端は、凸状保持部４２の先端付近の側面に当たっているが、樹脂カバー３４，４４が設けられているので、先端部分では樹脂同士が当たるようになる。
【００１８】
次に、本実施例の作用を説明すると、例えばセラミックスの詰め物に対して上述した築成処理を行う場合、図１(C)に示すように、対象物Ｗ（築成前のセラミック基部）をピンセット１０で挟むようにする。すなわち、ピンセット１０の把持腕１４，１６の腹の部分を押すと、交差部２０による逆ピンセット構造となっているため、保持部３２，４２の先端が開くようになる（図１(B)参照）。この状態で、築成の対象物Ｗを保持部３２，４２の先端の間に入れて把持腕１４，１６を離すと、保持部３２，４２の間に対象物Ｗが挟まれて保持されるようになる（図１(C)参照）。
【００１９】
図１(D)には、保持状態の一例が示されており、針状保持部３２は、対象物Ｗの作業面側に対してほぼ垂直に先端が当たっている。一方、凸状保持部４２は、その側面が対象物Ｗの作業面と反対の面に当たっている。例えば、針状保持部３２の先端は、凸状保持部４２の先端から約１ミリ程度下がった側面位置に当たるような形状となっている。このように、針状保持部３２が対象物Ｗの作業面側にほぼ垂直に当たっているので、対象物Ｗの作業面に対して、上述した築成，ステイン，グレーズ，クリーニングなどの各種の作業を良好に施すことができる。このとき、湾曲部３０，４０が設けられているので、対象物Ｗを掴みやすく、掴んだ対象物Ｗを良好に目視できるので、作業性がよい。
【００２０】
更に、本実施例によれば、対象物Ｗに金属が直接当たることはなく、樹脂カバー３４，４４が当たるのみである。このため、対象物Ｗの表面に傷を付けたり、圧力を強く掛けすぎて対象物Ｗを破損したり，あるいはピンセット先端の金属が対象物Ｗに付着してしまうといった不都合が防止され、対象物Ｗを良好に保持するとともに、必要な作業を対象物Ｗに施すことができるようになる。なお、対象物Ｗの作業面のうち、針状保持部３２の先端が当たっている僅かな部位は、どうしても築成などの処理を施すことができないが、作業台（例えばセラミックスの焼成台）の上に対象物Ｗを置いて、築成セラミックスの補充などを行うようにする。
【００２１】
図１(E)は変形例で、湾曲部３０，４０に対する保持部３２，４２の取付けを逆にした例である。すなわち、図１(A)〜(C)では、湾曲部３０，４０の先に保持部３２，４２がそれぞれ設けられているが、図１(E)では、逆に、湾曲部４０，３０の先に保持部３２，４２がそれぞれ設けられている。
【実施例２】
【００２２】
次に、図２を参照しながら、本考案の他の実施例について説明する。上述した実施例１と同様の構成部分には同一の符号を用いることとする。まず、同図(A)の実施例は、上述した凸状保持部４２の代わりに、二股に分岐した凸状保持部７０を設けた例である。凸状保持部７０は、湾曲部４０から二股にＶ字状に分岐した凸状保持肢７２，７４を備えており、いずれも樹脂カバー７６が被せられている。他方の針状保持部３２の先端は、前記凸状保持肢７２，７４に挟まれた空間内に位置するようになる。この例によれば、針状保持部３２の先端，凸状保持肢７２，７４の各先端の３点で対象物Ｗを挟んで支えることができるため、対象物Ｗの姿勢が安定し、作業性が向上する。
【００２３】
図２(B)の実施例は、上述した針状保持部３２の代わりに、二股に分岐した針状保持部８０を設けた例である。針状保持部８０は、湾曲部３０から二股にＶ字状に分岐した針状保持肢８２，８４を備えており、いずれも樹脂カバー８６が被せられている。他方の凸状保持部４２の先端は、前記針状保持肢８２，８４に挟まれた空間内に位置するようになる。この例でも、凸状保持部４２の先端，針状保持肢８２，８４の各先端の３点で対象物Ｗを挟んで支えることができるため、対象物Ｗの姿勢が安定し、作業性が向上する。なお、図２(A)の実施例は、対象物Ｗの作業面に針状保持部３２の先端が当たり、対象物Ｗの裏面に凸状保持肢７２，７４の先端が当たるが、図２(B)の実施例は、逆に、対象物Ｗの作業面に針状保持肢８２，８４の先端が当たり、対象物Ｗの裏面に凸状保持部４２の先端が当たる。
【００２４】
上述した実施例はいずれも逆ピンセットタイプであるが、図２(C)の例は通常のピンセットタイプの例である。同図に示すように、ピンセット１００は、連結支点１０２から２つの把持腕１０４，１０６が開くように伸びており、それらの先に、延長腕１０７，１０８を介して、保持部１１０，１２０が設けられている。これら保持部１１０，１２０は、先端が尖っており、樹脂カバー１１２，１２２によって覆われている。また、保持部１１０，１２０も、前記実施例と同様に、全体として、ピンセット１００の長手方向に対し所定角度傾いて形成されている。本実施例では、湾曲部はなく、保持部１１０，１２０が側面で対象物Ｗを挟むようになっている。もちろん、上記実施例と同様に、湾曲を設けるようにしてもよいし、保持部１１０，１２０を二股に分岐させてもよい。
【００２５】
なお、本考案は、上述した実施例に限定されるものではなく、本考案の要旨を逸脱しない範囲内において種々変更を加え得ることができる。例えば、以下のものも含まれる。
(1)前記実施例では、本考案のピンセットを、主として歯科技工用に用いる場合を説明したが、医療用，工業用など他の各種の用途に適用してよい。
(2)前記実施例に示した形状や寸法は一例であり、何ら前記実施例に限定されるものではない。例えば、前記実施例では、針状保持部３２のほうが凸状保持部４２よりも尖がっているが、その逆としてもよいし、同程度としてもよい。また、図２(A)において、針状保持部３２を二つに分岐させ、凸状保持肢７２，７４を一本としてもよい。
【産業上の利用可能性】
【００２６】
本考案によれば、ピンセットの先端部分に樹脂カバーを設けることとしたので、対象物表面に対する損傷を良好に防止することができる。例えば、歯科用のセラミックス詰め物や被せ物に対する築成，ステイン（色付け），グレーズ（つや出し），汚れの除去，などの各種の作業に好適である。
【符号の説明】
【００２７】
１０：ピンセット
１２：連結支点
１４，１６：把持腕
２０：交差部
２２，２４：延長腕
３０，４０：湾曲部
３２：針状保持部
４２：凸状保持部
３４，４４：樹脂カバー
７０：凸状保持部
７２，７４：凸状保持肢
７６：樹脂カバー
８０：針状保持部
８２，８４：針状保持肢
８６：樹脂カバー
１００：ピンセット
１０２：連結支点
１０４，１０６：把持腕
１０７，１０８：延長腕
１１０，１２０：保持部
１１２，１２２：樹脂カバー
ＬＨ：長手方向
Ｗ：対象物
θ：角度
【図１】
0003186636.tif 000003
【図２】
0003186636.tif 000004